(57)【要約】【課題】底部に高さ調整脚を突設した機器、基台の下面が平坦でないパソコンのディスプレイ、或いは下端にキャスターを備えたピアノ等の機器を床面ないし机面に好ましく固定する。【解決手段】上板（３）と下板（５）とを一側縁にて相互に連結し、該上板には他側縁より該一側縁方向に切り欠き（７）を形成してなる略コ字状体（１）を備え、該略コ字状体を、機器（１３）の底部（１５）に螺合した上下方向のボルト（１９）の下端に基部（２１）を取り付けてなる高さ調節脚（１７）に対し、該略コ字状体における上板の切り欠きが該高さ調節脚におけるボルトに外接すると共に該略コ字状体における下板が該高さ調節脚における基部の下側に位置するようにした状態で、取り付け、該略コ字状体における下板の下面を床面（２３）に固着手段（２５）により固着させるようにしたことを特徴とする機器の固定手段【選択図】図１
2006055377.tif 000002
【特許請求の範囲】
【請求項１】
上板と下板とを一側縁にて相互に連結し、該上板には他側縁より該一側縁方向に切り欠きを形成してなる略コ字状体を備え、
該略コ字状体を、機器の底部に螺合した上下方向のボルトの下端に基部を取り付けてなる高さ調節脚に対し、該略コ字状体における上板の切り欠きが該高さ調節脚におけるボルトに外接すると共に該略コ字状体における下板が該高さ調節脚における基部の下側に位置するようにした状態で、取り付け、
該略コ字状体における下板の下面を床面に固着手段により固着させるようにしたことを特徴とする機器の固定手段。
【請求項２】
上板と下板とを一側縁にて相互に連結してなる略コ字状体を備え、
該略コ字状体にはパソコンのディスプレイにおける基台の縁部を挟持させ、
該略コ字状体における下板の下面を机面に固着手段により固着させるようにしたことを特徴とする機器の固定手段。
【請求項３】
前記略コ字状体における上板と下板との間隔を調整自在としたことを特徴とする請求項１又は２に記載の機器の固定手段。
【請求項４】
板状体にはピアノのキャスターに対する縛着ワイヤを取り付け、該板状体の下面を固着手段により床面に固着させるようにしたことを特徴とする機器の固定手段。
【請求項５】
前記固着手段は粘着性を備えた板状片であることを特徴とする請求項１〜４のいずれかに記載の機器の固定手段。
【発明の詳細な説明】
【技術分野】
【０００１】
本発明は、機器の固定手段に関するものであり、特に、（ａ）底部に高さ調整脚（アジャスター）を突設したデスク、テーブル、機械等の機器、（ｂ）パソコンのディスプレイ（モニター）或いは（ｃ）下端にキャスターを備えたピアノ等の機器が、地震発生時に転倒することを防止するために、これらの機器を床面ないし机面に固定するようにした機器の固定手段（固定具）に係るものである。
【背景技術】
【０００２】
地震発生時における家具の転倒を防止するために、家具を壁面に固定するようにした固定具（以下「従来の固定具」という。）は、特開平１１−７５９７５号公報等により開示されている。
【０００３】
従来の固定具は、家具の上面又は側面に取付片をねじ止め固定し、壁面に固定部をねじ止め固定し、該取付片と固定部とをばねにより連結してなるものである。
【０００４】
また、機器を床面に固定するための粘着手段も知られている。
【特許文献１】特開平１１−７５９７５号公報
【発明の開示】
【発明が解決しようとする課題】
【０００５】
しかるに、従来の固定具は、家具を壁面に固定するようにしているため、壁面に近接した状態で配設されている家具についてのみ使用することができるものであり、壁面から離れた位置に配設される機器には使用することができないものである。
【０００６】
また、従来の固定具は、家具の上面又は側面に取付片をねじ止め固定するようにしているため、取付片のねじ止め作業が困難な金属製の機器には使用し難いものである。
【０００７】
一方、機器を床面に固定するための粘着手段は、底部に高さ調整脚を突設した機器、パソコンのディスプレイ、或いは下端にキャスターを備えたピアノ等の機器に対しては、使用することが困難であるという問題がある。
【０００８】
即ち、機器の底部に螺合した上下方向のボルトの下端に基部を取り付けてなる高さ調節脚における基部は、形状が様々であり、下面に凹凸があるため、該基部を粘着手段により床面に固定することは極めて困難である。
【０００９】
パソコンのディスプレイは、その基台の下面が平坦でないため、該基台を粘着手段により机面に固定することは極めて困難である。
【００１０】
また、下端にキャスターを備えたピアノについても、該キャスターを粘着手段により床面に固定することは極めて困難である。
【００１１】
本発明は、従来の技術における上述の如き問題を解決し、特に、底部に高さ調整脚を突設した機器、基台の下面が平坦でないパソコンのディスプレイ、或いは下端にキャスターを備えたピアノ等の機器を床面ないし机面に好ましく固定し得るようにした機器の固定手段を提供しようとしてなされたものである。
【課題を解決するための手段】
【００１２】
上記課題を解決するために、本発明は、下記の機器の固定手段を提供する。
【００１３】
（１）上板と下板とを一側縁にて相互に連結し、該上板には他側縁より該一側縁方向に切り欠きを形成してなる略コ字状体を備え、
該略コ字状体を、機器の底部に螺合した上下方向のボルトの下端に基部を取り付けてなる高さ調節脚に対し、該略コ字状体における上板の切り欠きが該高さ調節脚におけるボルトに外接すると共に該略コ字状体における下板が該高さ調節脚における基部の下側に位置するようにした状態で、取り付け、
該略コ字状体における下板の下面を床面に固着手段により固着させるようにしたことを特徴とする機器の固定手段（請求項１）。
【００１４】
（２）上板と下板とを一側縁にて相互に連結してなる略コ字状体を備え、
該略コ字状体にはパソコンのディスプレイにおける基台の縁部を挟持させ、
該略コ字状体における下板の下面を机面に固着手段により固着させるようにしたことを特徴とする機器の固定手段（請求項２）。
【００１５】
（３）前記略コ字状体における上板と下板との間隔を調整自在とする（請求項３）。
【００１６】
（４）板状体にはピアノのキャスターに対する縛着ワイヤを取り付け、該板状体の下面を固着手段により床面に固着させるようにしたことを特徴とする機器の固定手段（請求項４）。
【００１７】
（５）前記固着手段は粘着性を備えた板状片である（請求項５）。
【発明の効果】
【００１８】
［請求項１の発明］
請求項１の発明は、底部に高さ調節脚を突設した機器が地震発生時に転倒することを確実に防止する。
【００１９】
略コ字状体を機器の各高さ調節脚に対し例えば機器の外方から前記所定の状態で取り付けたときには、各略コ字状体における下板の下面は固着手段により床面に固着され、各略コ字状体における上板はその切り欠きが高さ調節脚のボルトに外接することにより機器が水平方向に動くことを防止する。更に、高さ調節脚の基部は略コ字状体における上板と下板との間に位置するため、機器が上下方向に動くことも防止される。即ち、機器は床面に確実に固定される。従って、地震発生時においても、機器が転倒するおそれはない。
【００２０】
また、高さ調節脚自体は固定されないため、固定手段を取り付けた状態で該高さ調節脚により機器の高さを調節することも可能である。
【００２１】
［請求項２の発明］
パソコンのディスプレイにおける基台の縁部を複数の略コ字状体に挟持させたときには、該基台が机面に対し水平方向及び上下方向に動くことが防止される。従って、地震発生時においても、パソコンのディスプレイが転倒するおそれはない。
【００２２】
［請求項３の発明］
略コ字状体における上板と下板との間隔を調整自在としたため、高さ調節脚の基部の厚さ或いはパソコンのディスプレイにおける基台の厚さが異なる場合でも、同一の略コ字状体を支障なく使用することができる。
【００２３】
［請求項４の発明］
板状体の下面を床面に固着手段により固着させ、該板状体上にピアノのキャスターを載せ、該板状体に取り付けた縛着ワイヤによりピアノのキャスターを縛着したときには、ピアノは床面に確実に固定される。従って、地震発生時においても、ピアノが転倒するおそれはない。
【００２４】
［請求項５の発明］
固着手段として粘着性を備えた板状片を用いているため、略コ字状体ないし板状体を、床面ないし机面に、極めて容易且つ床面ないし机面を傷つけることなく、固着することができる。
【発明を実施するための最良の形態】
【００２５】
符号１に示すものは略コ字状体である。略コ字状体１は、上板３と下板５とを一側縁にて相互に連結し、該上板３には他側縁より該一側縁方向に切り欠き７を形成してなるものである。切り欠き７は、好ましくは、他側縁より該一側縁に向って徐々に狭幅となるように形成する。
【００２６】
略コ字状体１は、一体的に形成してもよいが、図示の事例においては、上板３の一側縁部３ａと下板５の一側縁部５ａとをそれぞれ略直角に屈曲させ、該一側縁部３ａ、５ａにそれぞれ透孔９、９を形成し、該一側縁部３ａ、５ａを相互に重ねた状態でねじ１１、１１により螺着させている。
【００２７】
図示の事例においては、上板３の一側縁部３ａよりも内側に位置する下板５の一側縁部５ａには透孔９の内面にねじ１１に対応する雌ねじを形成しているが、上板３の一側縁部３ａと下板５の一側縁部５ａとに形成した透孔９、９にはいずれも雌ねじを形成せず、これらの透孔９、９に挿通させたねじ１１、１１の先端にナット１２を螺合させるようにしても差し支えない。図５参照。
【００２８】
略コ字状体１における上板３と下板５は、一例として、相互に平行である。
【００２９】
図１に示す事例においては、略コ字状体１を機器１３の底部１５に突設した高さ調節脚１７に取り付けている。この高さ調節脚１７は、機器１３の底部１５に螺合した上下方向のボルト１９の下端に基部２１を取り付けてなるものである。ボルト１９は、機器１３の底部１５に固定された雌ねじ体１５’に螺合したものであってもよい。
【００３０】
即ち、略コ字状体１を、高さ調節脚１７に対し、該略コ字状体１における上板３の切り欠き７が高さ調節脚１７におけるボルト１９に外接すると共に略コ字状体１における下板５が高さ調節脚１７における基部２１の下側に位置するようにした状態で、取り付ける。
【００３１】
更に、略コ字状体１における下板５の下面を床面２３に対し固着手段２５により固着させる。
【００３２】
略コ字状体１における下板５の下面を床面２３に固着させる固着手段２５は、一例として、粘着性を備えたゲル状の超軟質ウレタンにより形成された板状片とする。
【００３３】
固着手段２５としては、略コ字状体１における下板５に透孔２７を形成し、該透孔２７にねじ２９を挿通させ、該ねじ２９により略コ字状体１を床面２３等に固着するようにしてなるものであってもよい。このようなねじ２９を用いた固着手段２５は、例えば床面２３にじゅうたん３１が布設されているために、粘着性を備えた上記板状片を使用することができない場合に用いられる。図２参照。
【００３４】
図５〜図７に示す事例においては、略コ字状体１における上板３と下板５との間隔を調整自在としている。
【００３５】
即ち、一例として、上板３の一側縁部３ａと下板５の一側縁部５ａとをそれぞれ略直角に屈曲させ、該一側縁部３ａ、５ａにそれぞれ透孔９、９を形成し、該一側縁部３ａ、５ａを相互に重ねた状態でねじ１１、１１により螺着させるようにした上記略コ字状体１において、上板３と下板５の透孔９、９に対応する上下方向の長孔３３、３３を備えた調整板３５を介して上板３と下板５とを連結する。
【００３６】
換言すれば、略コ字状体１における上板３と下板５との間が所望の間隔になるようにした状態で、調整板３５の長孔３３、３３と上板３の透孔９、９とにねじ１１を通して調整板３５と上板３とを螺着させると共に、調整板３５の長孔３３、３３と下板５の透孔９、９とにねじ１１を通して調整板３５と下板５とを螺着させる。
【００３７】
図８に示す事例においては、上板３と下板５とを一側縁にて相互に連結してなる略コ字状体１を備え、略コ字状体１には上板３と下板５との間にパソコンのディスプレイ３７における基台３９の縁部を挟持させ、略コ字状体１における下板３の下面を机面４１に固着手段２５により固着させるようにしている。
【００３８】
図８に示す事例における略コ字状体１の上板３は、必ずしも切り欠き７を備えたものである必要はない。
【００３９】
また、図８に示す事例における固着手段２５は、粘着性を備えた板状片であることが望ましい。
【００４０】
図９〜図１２は、キャスター４３を備えたピアノを床面２３に固定するための固定手段を示す。
【００４１】
この固定手段は、板状体４５にはピアノのキャスター４３に対する縛着ワイヤ４７を取り付け、該板状体４５の下面を固着手段２５により床面２３に固着させるようにしたものである。
【００４２】
図示の事例においては、板状体４５は、ワイヤ挿通孔４９、４９・・・を備え、該ワイヤ挿通孔４９、４９・・・に縛着ワイヤ４７を挿通している。
【００４３】
符号５１に示すものは、縛着ワイヤ４７の結着手段である。
【００４４】
図１１、図１２においては、板状体４５上にマット５３を介してピアノのキャスター４３を載置している。
【００４５】
図１１における固着手段２５は、粘着性を備えた板状片である。
【００４６】
図１２に示す固着手段２５は、板状体４５に透孔２７を形成し、該透孔２７にねじ２９を挿通させ、該ねじ２９により略コ字状体１を床面２３等に固着するようにしてなるものである。因みに、図１２に示す事例においては、床面２３にじゅうたん３１が布設されているために、固着手段２５として粘着性を備えた板状片を使用することができない。
【図面の簡単な説明】
【００４７】
【図１】本発明による機器の固定手段の一例を示す側面図である。
【図２】同上固定手段の別の一例を示す側面図である。
【図３】略コ字状体の一例を示す斜視図である。
【図４】同上略コ字状体を分解して示す斜視図である。
【図５】同上固定手段の更に別の一例を示す側面図である。
【図６】略コ字状体の別の一例を示す斜視図である。
【図７】同上略コ字状体を分解して示す斜視図である。
【図８】同上固定手段の更に別の一例を示す側面図である。
【図９】板状体を示す平面図である。
【図１０】同上板状体の一部を示す断面図である。
【図１１】同上固定手段の更に別の一例を示す側面図である。
【図１２】同上固定手段の更に別の一例を示す側面図である。
【符号の説明】
【００４８】
１  略コ字状体
３  上板
３ａ  一側縁部
５  下板
５ａ  一側縁部
７  切り欠き
９  透孔
１１  ねじ
１２  ナット
１３  機器
１５  底部
１７  高さ調節脚
１９  ボルト
２１  基部
２３  床面
２５  固着手段
２７  透孔
２９  ねじ
３１  じゅうたん
３３  長孔
３５  調整板
３７  ディスプレイ
３９  基台
４１  机面
４３  キャスター
４５  板状体
４７  縛着ワイヤ
４９  ワイヤ挿通孔
５１  結着手段
５３  マット
【図１】
2006055377.tif 000003
【図２】
2006055377.tif 000004
【図３】
2006055377.tif 000005
【図４】
2006055377.tif 000006
【図５】
2006055377.tif 000007
【図６】
2006055377.tif 000008
【図７】
2006055377.tif 000009
【図８】
2006055377.tif 000010
【図９】
2006055377.tif 000011
【図１０】
2006055377.tif 000012
【図１１】
2006055377.tif 000013
【図１２】
2006055377.tif 000014